(57)【特許請求の範囲】
【請求項１】
耳たぶを挟み付ける一対の部材と、一対の部材の間を回動可能に連結する連結軸とを備え、上記一方の部材の端部にはコ字状の軸受け部を形成するとともに、上記他方の部材の端部には上記軸受け部内を回動する回転部を設け、この回転部とその両側のコ字状の軸受け部との間に、滑り板と、その両側に配置され、回転部と軸受け部とに接する部分には滑り止め手段を備えた板ばねとからなるサンドイッチ状の回転調整部を備えたことにより、耳たぶを所定の圧力で挟んだ状態で脱落しないようにしたことを特徴とする耳飾り。
【請求項２】
連結軸が、かしめピンからなる請求項１に記載の耳飾り。
【請求項３】
コ字状の軸受け部が、外側に向かってその間隔を広げてある請求項１または２に記載の耳飾り。
【請求項４】
回転部が、外側に向かってその幅を広げてあり、他方の部材を開いているときには緩く、閉じた状態ではきつくなるようにしてある請求項１ないし３のいずれかに記載の耳飾り。
【発明の詳細な説明】
【０００１】
【発明の属する技術分野】
この発明はバネ部材を使用することなく耳たぶを挟みつけて脱落を防止した耳飾りに関し、バネ部材を使用した際に余分な押圧力が耳たぶに作用して痛みを生じたり、長時間の着用が不可能になるという欠点のない耳飾りに関するものである。
【０００２】
【従来の技術】
従来、この種のバネ部材を使用することなく耳たぶを挟みつけて脱落を防止した耳飾りとしては、実開平２−１４７０２３号公報に記載の、図６および図７に示す形式のものが知られている。
【０００３】
すなわち、半割真珠等からなる装飾本体２１を支持金具２２に保持させ、この支持金具２２の背面下部にクリップ取付部材２３を固定し、その端部にクリップ２４を連結軸２５を介して回動可能に連結したものである。そして、連結軸２５を中心にクリップ２４を耳たぶを挟む方向に回動させると、支持金具２２とクリップ２４の押圧面が耳たぶを所定の圧力で挟んだ状態で脱落しないようになっている。
【０００４】
その際、上記クリップ取付部材２３とクリップ２４との連結部分においては、クリップ２４の断面コ字状の軸受部２６の内面と、軸受部２６内にはめ込まれたクリップ取付部材２３の外面とが接触するよう構成されていて、接触部分に凹凸を設け、これが互いにかみ合うようになっている。したがって、連結軸２５を中心にクリップ２４を耳たぶを挟む方向に回動させると、この接触部分の突起２７および複数の突条２８が互いに係合してクリップ２４が耳たぶの弾性に抗して所定の位置に保持されるのである。
【０００５】
【発明が解決しようとする課題】
しかしながら上記従来例の耳飾りにおいては、段階的にクリップ２４が保持されるために、耳たぶを必要な押圧力で挟み付けることが難しく、また抜け落ちないような位置に保持すると押圧力が強すぎて長時間着用できないという欠点があった。
【０００６】
またこれを解決するために、クリップの断面コ字状の軸受部の内面と、軸受部内にはめ込まれたクリップ取付部材の外面とがテーパ面で接触し、所定の押圧力を発揮するようにしたものもあるが、いずれにしても回転部と断面コ字状の軸受部とが互いの側面で接触するようになっており、回転部が断面コ字状の軸受部の端面で削られて摩耗したり、また断面コ字状の軸受部の両側の間隔が広がったりして、短期間に緩んでしまい、所定の押圧力を得ることができないという欠点があった。
【０００７】
この発明は従来例の上記の欠点を解消することを目的とするもので、一対の部材を連結軸を中心に耳たぶを挟む方向に回動させると、一方の部材の押圧面が他方の部材の受部に接触しつつ徐々にその押圧力を増し、耳たぶを所定の圧力で挟んだ状態で脱落しないようにした耳飾りを提供しようとするものである。
【０００８】
【課題を解決するための手段】
すなわちこの発明の耳飾りは、耳たぶを挟み付ける一対の部材と、一対の部材の間を回動可能に連結する連結軸とを備え、上記一方の部材の端部にはコ字状の軸受け部を形成するとともに、上記他方の部材の端部には上記軸受け部内を回動する回転部を設け、この回転部とその両側のコ字状の軸受け部との間に、滑り板と、その両側に配置され、回転部と軸受け部とに接する部分には滑り止め手段を備えた板ばねとからなるサンドイッチ状の回転調整部を備えたことにより、耳たぶを所定の圧力で挟んだ状態で脱落しないようにしたことを特徴とするものである。
【０００９】
この発明の耳飾りは、上記連結軸がかしめピンからなることをも特徴とするものである。
【００１０】
この発明の耳飾りは、上記コ字状の軸受け部が、外側に向かってその間隔を広げてあることをも特徴とするものである。
【００１１】
この発明の耳飾りは、上記回転部が、外側に向かってその幅を広げてあり、他方の部材を開いているときには緩く、また閉じた状態ではきつくなるようにしたことをも特徴とするものである。
【００１２】
この発明によれば、連結軸に取り付けた回転部とその両側のコ字状の軸受け部との間に、滑り板と、その両側に配置され、回転部と軸受け部とに接する部分には滑り止め手段を備えた板ばねとからなるサンドイッチ状の回転調整部を設けたので、一対の部材を連結軸を中心に耳たぶを挟む方向に回動させると、上記回転調整部の作用で所定の抵抗を受ける。したがって、耳たぶを所定の圧力で挟んだ状態で脱落しない耳飾りを提供することができるようになった。
【００１３】
また、この発明によれば、回転調整部の摩耗が少なく、しかも長期間にわたって所定の押圧力で耳たぶを保持することが可能な耳飾りを提供することができるようになった。
【００１４】
以上のように、この発明の耳飾りによれば、繰返し使用しても長期間にわたって何ら故障のない耳飾りを提供することができるようになった。
【００１５】
【発明の実施の形態】
以下、図面に基づき、この発明の耳飾りの実施の形態について詳細に説明する。
【００１６】
図面はこの発明の耳飾りの１実施例を示すもので、図１は分解正面図、図２はその斜視図、図３は組立状態の断面図、図４はその斜視図、図５は要部拡大図である。
【００１７】
図１ないし図５において、耳飾り本体１１は耳たぶを挟み付ける一対のアーム状部材１，１’で構成され、一端を連結軸２を介して軸着するとともに、開放端部を突き合わせる方向に回転自在に連結してある。上記連結軸２としてはかしめピンが望ましく、反対側に突出した先端をかしめて抜け止めしている。
【００１８】
この部材１，１’は上記アーム状に限らず、一対の部材１，１’間に耳たぶを挟み込むことができる形状であれば、楕円形、矩形、菱形、三角形等の種々の形状とすることができる。またその断面も適宜決定することができるが、耳たぶへ吊り下げることから、自重が重いと耳たぶの穴が大きくなり、耳飾りを取外した時に目立ってしまうことを避けるため、なるべく軽くすることが望ましい。
【００１９】
上記一対の部材１，１’の一方の部材１の端部には、コ字状の軸受け部３が形成され、他方の部材１’の端部には上記軸受け部３内を回動する回転部４を形成している。上記コ字状の軸受け部３は、外側に向かってその間隔を広げてあり、また回転部４も外側に向かってその幅を広げてあるので、他方の部材１’を開いているときには緩く、また閉じた状態ではきつくなるようになっている。
【００２０】
上記回転部４とその両側のコ字状の軸受け部３との間には、回転調整部５が設置されている。この回転調整部５は、ワッシャ様の滑り板６と、その両側に配置され、回転部４と軸受け部３とに接する部分には波形面８等の滑り止め手段を備えた板ばね７，７’とからなるサンドイッチ状の構造を備えている。したがって、一方の板ばね７はコ字状の軸受け部３に接して固定状態のままであり、他方の板ばね７’は回転部４に接して回転部４とともに回動する。その際、滑り板６が各板ばね７，７’の他面と接して、所定の圧力を受けた状態で摺動しながら回転部４の回転を許容する。
【００２１】
上記ワッシャ様の滑り板６の材質としては、通常の平ワッシャとして使用されている金属板が使用できる。また板ばね７，７’の材質としては、弾性を備えた金属板が使用され、回転部４と軸受け部３とに接する部分には上記波形面８等の滑り止め手段が施され、滑り板６に接する部分には潤滑性が高まる加工、例えば平滑性を高めるための研磨、潤滑材のコーティング処理、潤滑材の塗布処理等が施されている。
【００２２】
上記コ字状の軸受け部３は、外側に向かってその間隔を広げてある。また、上記回転部４も外側に向かってその幅を広げてあり、他方の部材を開いているときには緩く、また閉じた状態ではきつくなるようになっている。
【００２３】
一対の部材１，１’の開放端部には耳当て部８が設けてある。この耳当て部８には、複数段の波状凹凸９が形成してある。したがって一対の部材１，１’を耳たぶを挟む方向に回動させ、耳たぶに耳当て部８を突き当てて所定の押圧力がかかった状態で保持することにより、耳当て部８が確実に耳たぶを保持して耳たぶから抜け落ちるのを防止する。
【００２４】
上述のように、コ字状の軸受け部３は外側に向かってその間隔を広げてあり、上記回転部４も外側に向かってその幅を広げてあるので、他方の部材を開いているときには緩く、また閉じた状態ではきつくなるようになっている。したがって、一対の部材１，１’の耳当て部８で耳たぶを好みの圧力で挟ことができ、長期間使用する際に耳たぶが痛くなりにくく、しかも脱落しにくい耳飾りが提供できる。
【００２５】
上記実施例においては、一対の部材１，１’を一方の部材にのみ装飾性を持たせ、他方の部材は耳たぶを挟み付ける機能のみを持ったものとしたが、両方の部材に装飾性を持たせたものとすることもできることはもちろんである。
【００２６】
【発明の効果】
この発明によれば、連結軸に取り付けた回転部とその両側のコ字状の軸受け部との間に、滑り板と、その両側に配置され、回転部と軸受け部とに接する部分には滑り止め手段を備えた板ばねとからなるサンドイッチ状の回転調整部を設けたので、一対の部材を連結軸を中心に耳たぶを挟む方向に回動させると、上記回転調整部の作用で所定の抵抗を受ける。したがって、耳たぶを所定の圧力で挟んだ状態で脱落しない耳飾りを提供することができるようになった。
【００２７】
また、この発明によれば、回転調整部の摩耗が少なく、しかも長期間にわたって所定の押圧力で耳たぶを保持することが可能な耳飾りを提供することができるようになった。
【００２８】
以上のように、この発明の耳飾りによれば、繰返し使用しても長期間にわたって何ら故障のない耳飾りを提供することができるようになった。
【図面の簡単な説明】
【図１】この発明の耳飾りの一実施例を示す分解正面図である。その斜視図、図３は組立状態の断面図、図４はその斜視図、図５は要部拡大図で
【図２】その斜視図である。
【図３】組立状態の断面図である。
【図４】その斜視図である。
【図５】要部拡大図である。
【図６】従来の耳飾りの例を示す分解斜視図である。
【図７】その要部断面図である。
【符号の説明】
１，１’  部材
２  連結軸
３  軸受け部
４  回転部
５  回転調整部
６  滑り板
７，７’  板ばね
８  波形面
９  波状凹凸
１１  耳飾り本体
２１  装飾本体
２２  支持金具
２３  クリップ取付部材
２４  クリップ
２５  連結軸
２６  軸受部
２７  突起
２８  突条
【図１】
0004122486.tif 000002
【図２】
0004122486.tif 000003
【図３】
0004122486.tif 000004
【図４】
0004122486.tif 000005
【図５】
0004122486.tif 000006
【図６】
0004122486.tif 000007
【図７】
0004122486.tif 000008